(57)【要約】      （修正有）【課題】研削による除染方法のように対象物を破損したり表面を傷つけたり粉じんの発生や二次的な汚染廃棄物を増加させることなく現実的なコストで実施できる、構造物表面の除染方法を提供する。【解決手段】微細に粉末化したモンモリロナイトを水に分散させたモンモリロナイト溶液を用い、放射性物質が表面に付着して汚染された構造物等に散布し、放射性物質を吸着させて洗浄するとともに表面を研磨して構造物表面に付着した放射性物質を除去する，構造物表面の除染方法。【選択図】なし【特許請求の範囲】
【請求項１】
微細に粉末化したモンモリロナイトを水に分散させたモンモリロナイト溶液を用い、除染対象物の表面に散布して洗浄除去および研磨除去することを特徴とする放射性物質の除染方法。
【請求項２】
微細に粉末化したモンモリロナイトを水に分散させたモンモリロナイト溶液を除染対象物の表面に散布する散布工程と、ブラシ洗浄や高圧水洗浄で除染対象物の表面を洗浄および研磨する洗浄研磨工程を備えることを特徴とする請求項１に記載の放射性物質の除染方法。
【請求項３】
高圧水洗浄するときに、洗浄水として微細に粉末化したモンモリロナイトを水に分散させたモンモリロナイト溶液を使用し、散布工程と洗浄研磨工程を同時に行うことを特徴とする請求項１および２の何れかに記載の放射性物質の除染方法。
【請求項４】
微細に粉末化したモンモリロナイトを水に分散させたモンモリロナイト溶液に５０〜９０℃の温水を使用し、高温によってイオン交換を促進させて効果を高めることを特徴とする請求項１〜３の何れかに記載の放射性物質の除染方法。
【請求項５】
前記洗浄時にスチームを併用して除染対象物の表面の温度を上昇させ、高温によってイオン交換を促進させて効果を高めることを特徴とする請求項１〜３の何れかに記載の放射性物質の除染方法。
【発明の詳細な説明】
【技術分野】
【０００１】  本発明は、放射性物質により汚染された構造物等の表面を除染する放射性物質除去方法に関するものである。
【背景技術】
【０００２】  従来、放射性物質で汚染された建築物や道路などの構造物の表面を除染する方法としては、非特許文献１に開示されるような、ブラシによる洗浄や高圧水洗浄機を使用して洗浄によって除染する方法と、あるいはブラスト作業や超高圧水洗浄などで表面を削り取って除去する方法がある。
【先行技術文献】
【０００３】
【非特許文献】
【非特許文献】  環境省  除染関係ガイドライン  平成２５年５月  第２版  ２−１８〜２−４２項、２−５８〜２−７２項
【発明の概要】
【発明が解決しようとする課題】
【０００４】  従来のブラシ洗浄や高圧水洗浄では、除染対象物に付着した放射性物質を除去しきれずに線量が低減しにくい部位が多く残ることがあった。【０００５】  ブラスト作業や超高圧水洗浄等では基本的に除染対象物の表面を削り取る方法で、対象物を破損したり傷つけたりする恐れがある。また、粉じんの発生や二次的な汚染廃棄物が多く発生する。使用する対象物にも制限がある。【０００６】  本発明の目的は、除染処理が簡単になり、また高い除染効果が得られ、環境に与える負荷が減少する放射性物質の除染材および除染方法を提供する。
【課題を解決するための手段】
【０００７】  微細に粉末化したモンモリロナイトを水に分散させたモンモリロナイト溶液を用い、除染対象物の表面に散布して洗浄除去および研磨除去することを特徴とする放射性物質の除染方法。【０００８】  微細に粉末化したモンモリロナイトを水に分散させたモンモリロナイト溶液を除染対象物の表面に散布する散布工程と、ブラシ洗浄や高圧水洗浄で除染対象物の表面を洗浄および研磨する洗浄研磨工程を備えることを特徴とする請求項１に記載の放射性物質の除染方法。【０００９】  高圧水洗浄するときに、洗浄水として微細に粉末化したモンモリロナイトを水に分散させたモンモリロナイト溶液を使用し、散布工程と洗浄研磨工程を同時に行うことを特徴とする請求項１および２の何れかに記載の放射性物質の除染方法。【００１０】  微細に粉末化したモンモリロナイトを水に分散させたモンモリロナイト溶液に５０〜９０℃の温水を使用し、高温によってイオン交換を促進させて効果を高めることを特徴とする請求項１〜３の何れかに記載の放射性物質の除染方法。【００１１】  前記洗浄時にスチームを併用して除染対象物の表面の温度を上昇させ、高温によってイオン交換を促進させて効果を高めることを特徴とする請求項１〜３の何れかに記載の放射性物質の除染方法。【００１２】  前記放射性物質汚染物が、コンクリート構造物、アスファルト舗装、家屋、鋼構造物の中から選ばれた少なくとも一つである請求項１〜５の何れかに記載の放射性物質の除染方法。
【発明の効果】
【００１３】  本発明によると放射性物質で汚染された構造物の表面を微細な粉末のモンモリロナイトを水に分散させたモンモリロナイト溶液を使用して洗浄することで、付着している放射性物質を吸着し、また洗浄等によって表面が研磨されることで放射性物質が吸着した汚染物が付着しているものを除去することが可能になる。このことにより通常の洗浄方法で除染するよりも５０％以上除去率が向上する。【００１４】  また従来のブラスト作業のように除染対象物の表面を研削することなく、極めて薄く表面の汚染物を研磨することで放射性物質を除去でき、除染対象物を大きく傷つけることなく除染することが可能になる。【００１５】  また、通常ブラスト作業等で研削する場合に排出される廃棄物は非常に大量になり、廃棄処分という新たな問題が出てくる。【００１６】  これに対し、本発明によれば、使用するモンモリロナイトの量は非常に少量で済み、廃棄物が少なくて済む。
【発明を実施するための形態】
【００１７】  本発明の実施形態は、微細な粉末に加工されたモンモリロナイトを水に分散させたモンモリロナイト溶液を散布する散布工程と、それを洗浄および研磨して対象物から除去する洗浄研磨工程を備えて、放射性物質で汚染された建築物や道路等の構造物の表面を除染する方法を構成した。
【００１８】  本実施形態で用いる除染材であるモンモリロナイトはイオン交換による放射性物質のイオン吸着力がある。このモンモリロナイトを非常に微細な粉末状にすることで表面積が増加し、吸着力が大きくなり、水に分散させて溶液として使用することでイオン交換が促進され、より吸着力が増大する。また、微細な粉末に加工されたことで水に分散され、除染対象物の表面の小さな凸凹の隙間に行きわたり、なお一層効果を上げることができる。
【００１９】  本実施形態によれば、散布工程において微細な粉末に加工されたモンモリロナイトが除染対象物の表面に付着している放射性物質を吸着し、洗浄研磨工程で対象物の表面を極薄く研磨して付着した放射性物質が除去される。
【００２０】  また、高圧水洗浄機を使用し、洗浄時に噴射する洗浄水にモンモリロナイト溶液を使用することで、散布工程と洗浄研磨工程を同時に行うことができる。
【００２１】  また、高温下ではイオン交換活発化するためイオン吸着力が増大する。そのため溶液に５０〜９０℃の温水を用い、あるいはスチームによる洗浄を併用することで効果が増加する。
【実施例】
【００２２】  次に本実施形態による放射性物質の除去効果を確認するための実施例を説明する。本実施例は福島県福島市内で行った。アスファルト舗装面において、水道水による回収型高圧水洗浄と、微細に粉末化したモンモリロナイトを水道水に分散させたモンモリロナイト溶液を散布した後に回収型高圧水洗浄とを行い、表面汚染密度と空間線量率の低減率を測定した。微細に粉末化したモンモリロナイトは平均粒径が１．５μｍとし、希釈率を重量比で５％の溶液を用いた。また、高圧水洗浄の噴射水圧は５〜２０ＭＰａで使用した。【００２３】（１）実施場所のアスファルト面に実験区画として、「通常の高圧水洗浄するもの」と、「微細に粉末化したモンモリロナイトを水道水に分散させた溶液を散布してから高圧水洗浄をするもの」と２通り設定した。
（２）各設定における区画は１メートル四方のブロックを２か所設け、各区画において、任意の測定点ａ〜ｊを設定し洗浄前の放射線量を測定した。
（３）一つの区画は通常の高圧水洗浄を行った。
（４）もう一つの区画は微細に粉末化したモンモリロナイトを水道水に分散させた溶液を散布してから同様に高圧水洗浄を行った。
（５）洗浄後それぞれの区画における測定点ａ〜ｊの放射線量を測定し、低減率を比較した。【００２４】  測定器は、ＧＭ計数管式サーベイメーター（ＡＲＯＫＡ  β（γ）ＳＵＲＶＥＹ  ＭＥＴＥＲ  ＴＧＳ−１４６）とシンチレーション式サーベイメーター（ＡＲＯＫＡ  γＳＵＲＶＥＹ  ＭＥＴＥＲ  ＴＣＳ−１７２）を使用した。
【表１】
2015049239.tif 000002
【表２】
2015049239.tif 000003
【００２５】  表１および２より、本発明の微細な粉末化したモンモリロナイトを水に分散させたモンモリロナイト溶液を散布した後回収型高圧水洗浄したほうが、水道水による高圧水洗浄した場合よりも、放射性物質を低減させる作用が大きいことがわかる。【００２６】  また、溶液に７０℃の温水を用いた場合低減率が向上することが分かった。この温水は５０〜９０℃の範囲で効果が上がる。
【産業上の利用可能性】
【００２７】  東京電力福島第一原子力発電所の事故により、大量に放出された放射性物質が降り積もって汚染された生活圏の除染作業において、本発明を適用することができる。従来の水の洗浄による除染方法において、微細に粉末化したモンモリロナイトが分散された溶液を用いるだけで、経済的にかつ効果的に容易に除染を行うことができる。特殊機材を必要としないので、本発明は直ちに実施可能な技術である。